(57)【要約】【課題】　本発明の目的は、曲げ熱交換器に従来装填しなければならなかったスペーサー等を除去し、部品数の低減、製作工数の短縮を図るとともに、送風時の乱流発生を抑制しうる空気調和機を提供することにある。【解決手段】　上下方向に複数段かつ並列に配置されたパイプ９に複数枚のフィン１１が挿入された熱交換器５と、この熱交換器５の後方に設けられた貫流ファン１０とを室内ユニットの本体内に備えた空気調和機において、前記熱交換器５は、前記フィン１１の空気下流側のみ折り曲げのための切り抜き部を有し、上流側の残余のフィンをこの切り抜き部が突き合わされる方向に折り曲げたものである。【選択図】　図１
2004093132.tif 000002
【特許請求の範囲】
【請求項１】
　上下方向に複数段かつ並列に配置されたパイプに複数枚のフィンが挿入された熱交換器と、この熱交換器の後方に設けられた貫流ファンとを室内ユニットの本体内に備えた空気調和機において、前記熱交換器は、前記フィンの空気下流側のみ折り曲げのための切り抜き部を有し、上流側の残余のフィンをこの切り抜き部が突き合わされる方向に折り曲げたものである空気調和機。
【発明の詳細な説明】
【技術分野】
【０００１】
　本発明は、空気調和機に係り、特に、プレートフィン形曲げ熱交換器を改良した空気調和機の室内ユニットに関するものである。
【背景技術】
【０００２】
　近年、分離形空気調和機の室内ユニットにおいては、その空気吸込口をユニットの前面と上面とに設けて、吸込面積を大きく確保することが行なわれている。このような室内ユニットに収納されたプレートフィン形熱交換器の構造例を示したものとして、例えば実開昭６０−１１８４３０号公報（特許文献１）および特開平３−５６３７号公報（特許文献２）が知られている。これらの公報に記載されたプレートフィン形熱交換器のフィン送風口に面する面およびその面と相反する面のそれぞれに切欠き部を設け、この切欠き部に基づいてこのプレートフィン形熱交換器を略くの字状に折り曲げるものである。そして、この折り曲げられた熱交換器をユニットに収納して、このユニットの前面ならびに上面に設けた吸込口から吸い込まれた空気が、この熱交換器へ流れるように構成している。
【０００３】
【特許文献１】実開昭６０−１１８４３０号公報
【０００４】
【特許文献２】特開平３−５６３７号公報
【発明の開示】
【発明が解決しようとする課題】
【０００５】
　しかし、上記従来技術のプレートフィン形熱交換器は、くの字状に曲げられているため、その折り曲げ部にはＶ字状の空間、つまりフィンに設けた切欠き部が形成されている。このように、Ｖ字状の切欠き部が、熱交換器の一部に形成されていると、この空間には他の部分よりも空気が流れ込みやすくなり、熱交換性能の低下を招く恐れがあった。
【０００６】
　また、このために、例えば前記特開平３−５６３７号公報記載の技術では、Ｖ字状の切欠き部を金属性シールのスペーサーなどでふさぐことが行われている。しかし、前記スペーサーの収納時に熱交換器のフィンをつぶしたり、傷つけるといった恐れがあった。
【０００７】
　さらに、部品数の増加により製作工数が従来より増加していた。
【０００８】
　本発明の目的は、スペーサーを用いることなく熱交換性能の低下を抑制した折り曲げ熱交換器を備えた空気調和機を提供することにある。
【課題を解決するための手段】
【０００９】
　上記目的を達成するために、本発明に係る空気調和機の構成は、上下方向に複数段かつ並列に配置されたパイプに複数枚のフィンが挿入された熱交換器と、この熱交換器の後方に設けられた貫流ファンとを室内ユニットの本体内に備えた空気調和機において、前記熱交換器は、前記フィンの空気下流側のみ折り曲げのための切り抜き部を有し、上流側の残余のフィンをこの切り抜き部が突き合わされる方向に折り曲げたものである。
【００１０】
　すなわち、熱交換器のフィンの切り抜き部形状を、前記フィンの空気下流側のみ折り曲げのための切り抜き部を有し、上流側の残余のフィンをこの切り抜き部が突き合わされる方向に折り曲げ、上部熱交換器と下部熱交換器とを突き合わせる構成としたものである。
【００１１】
　上記技術的手段による働きは次のとおりである。
【００１２】
　本発明は、室内ユニットに組み込まれた熱交換器を曲げる切り抜き部を前記フィンの空気下流側のみ折り曲げのための切り抜き部を有し、上流側の残余のフィンをこの切り抜き部が突き合わされる方向に折り曲げることにより、従来、スペーサー等を組み込んでいたが、それらを除去することが可能となる。
【発明の効果】
【００１３】
　本発明によれば、空気が折り曲げ部分を集中的に流れることが緩和され、熱交換性能の低下が抑制できる。
【発明を実施するための最良の形態】
【００１４】
　以下、本発明の一実施例について図１ないし図３を参照して説明する。
【００１５】
　図１は、本発明の一実施例に係るプレートフィン形熱交換器を収納した空気調和機の室内ユニットの縦断面図、図２は、図１の室内ユニットに用いるプレートフィンの平面図、図３は、図２のプレートフィンの要部拡大図である。
【００１６】
　図１において、１は分離形空気調和機の室内ユニットで、２は本体、３は、この本体２と組み合わせられる化粧枠で、本体２および化粧枠３で筐体を構成している。化粧枠３の前面に空気吸込口４ａ、上面に空気吸込口４ｂが形成されている。５は、略くの字状に折り曲げられたプレートフィン形熱交換器（ここでは、熱交換器の両端を保持するプレートは図示を省略した。以下、「曲げ熱交換器」という。）で、その構造については後述する。６は、熱交換器の折り曲げ部、７は、この曲げ熱交換器５の下方に配置されたドレンパンである。
【００１７】
　１１は、定間隔で平行に並べられ、その間を気流が流通するプレートフィン、９は、プレートフィン１１に貫通され内部を冷媒が流通する熱交換パイプで、これらでプレートフィン形熱交換器が構成される。
【００１８】
　この図１において、ベンド管同志をつなぐ破線８は、熱交換パイプ９の折り曲げ部すなわちヘアピン部を示している。１０は、熱交換器５の後方に配置された送風機に係る貫流ファンで、この貫流ファン１０の回転によって室内空気は実線矢印のように流れる。
【００１９】
　ここで、前述した曲げ熱交換器５における、プレートフィン１１の形状は図２に示すようになっている。
【００２０】
　図２において、１２は、熱交換パイプ９が貫通される貫通穴、１３は、プレートフィン１１に設けられた切り起し片である。プレートフィン１１の後縁（本体１に組み込んだときの貫流ファン１０側）にくさび状の切欠き１４が形成されている。また、切欠き１４の先端には小円１５が形成されている。図３にその要部拡大図を示す。
【００２１】
　図３に示すように、切欠き１４の切欠き角度は、上片１４ａをフィン端面に対し垂直として、下片１４ｂを熱交換器を曲げたときに所定の曲げ角度になるような角度として切欠き１４を形成している。また、切欠き１４の先端に小円１５を設けてあるのは、フィンの抜き型の保全性と熱交換器を分断するときの位置決めズレを考慮したためである。このような切欠き１４を形成することにより、熱交換器を折り曲げると上部フィンと下部フィンとが小さな間隙で突き合わされるようになり、あたかも一体の一枚フィンのようになる。
【００２２】
　したがって、従来技術のように、切欠き部にスペーサー等を収納することが不要となる。これにより、冷房時に切欠き１４より上の上部熱交換器に付着した凝縮水は、切欠き１４より下の下部熱交換器で確実に保水することができ、凝縮水を他に滴下することなくドレンパン７へ処理することができる。
【００２３】
　次に、曲げ熱交換器５の折り曲げ部６の高さ位置を、貫流ファン１０の回転軸中心の高さ近傍の位置になるように、曲げ熱交換器５を設置する。これにより、送風による熱交換器背面での乱流の発生を抑えることができスムーズに室内空気が流れ熱交換器の熱交換性能が向上する。
【００２４】
　以上の説明で明らかなように、本実施例の曲げ熱交換器は、従来装填しなければならなかったスペーサー等を除去することができ部品数が低減される。また、製作工数の短縮を図ることができる。
【００２５】
　さらに、上部熱交換器と下部熱交換器とが小さな間隙で突き合わされるため、冷房時の凝縮水も他に滴下することなく上部から下部へスムーズに処理される。
【図面の簡単な説明】
【００２６】
【図１】本発明の一実施例に係るプレートフィン形熱交換器を収納した空気調和機の室内ユニットの縦断面図である。
【図２】図１の室内ユニットに用いるプレートフィンの平面図である。
【図３】図２のプレートフィンの要部拡大図である。
【符号の説明】
【００２７】
３…化粧枠、４ａ、４ｂ…空気吸込口、５…曲げ熱交換器、６…折り曲げ部、７…ドレンパン、９…熱交換パイプ、１０…貫流ファン、１１…プレートフィン、１４…切欠き、１４ａ…上片、１４ｂ…下片、１５…小円。
【図１】
2004093132.tif 000003
【図２】
2004093132.tif 000004
【図３】
2004093132.tif 000005
【手続補正書】
【提出日】平成16年1月23日(2004.1.23)
【手続補正１】
【補正対象書類名】特許請求の範囲
【補正対象項目名】全文
【補正方法】変更
【補正の内容】
【特許請求の範囲】
【請求項１】
　室内空気を流通させる貫流ファンと、前記貫流ファンの吸込側に配置されたプレートフィン形熱交換器とを室内ユニットの本体内に備え、
　前記プレートフィン形熱交換器は、定間隔で平行に並べられその間を前記貫流ファンによる気流が通過するプレートフィンと、前記プレートフィンを貫通して設けられその内部を冷媒が流れる熱交換パイプとを備えると共に、貫流ファン側に略くの字状に折り曲げられて形成され、
　前記プレートフィンは、複数段に且つ２列に設けられると共に千鳥状に配列された貫通孔と、折り曲げ部を介して貫流ファン側にそのプレートフィンを折り曲げのための切り抜き部とを有し、
　前記切り抜き部を形成するフィン部の端面は、前記プレートフィンの貫流ファン側の端面に対して異なる形状に形成され、略くの字状に折り曲げられた状態でその切り抜き部の両側のフィン部が小さな間隙で突き合わされたものであり、
　前記折り曲げ部は前記プレートフィンの空気上流側の列の貫通孔の間に位置して形成されたものである空気調和機。
【請求項２】
　請求項１において、前記切り抜き部を前記折り曲げ部より貫流ファン側にのみ形成した空気調和機。
【請求項３】
　請求項２において、前記切り抜き部を前記プレートフィンの空気上流側の端部に形成した空気調和機。
【請求項４】
　請求項１において、前記切り抜き部を前記プレートフィンの空気下流側の列の貫通孔の間と前記プレートフィンの空気上流側の列の貫通孔の間とにまたがって形成した空気調和機。
【手続補正２】
【補正対象書類名】明細書
【補正対象項目名】０００８
【補正方法】変更
【補正の内容】
【０００８】
　本発明の目的は、熱交換性能の低下を抑制した折り曲げ熱交換器を備えた空気調和機を提供することにある。
【手続補正３】
【補正対象書類名】明細書
【補正対象項目名】０００９
【補正方法】変更
【補正の内容】
【０００９】
　上記目的を達成するために、本発明に係る空気調和機の構成は、室内空気を流通させる貫流ファンと、前記貫流ファンの吸込側に配置されたプレートフィン形熱交換器とを室内ユニットの本体内に備え、前記プレートフィン形熱交換器は、定間隔で平行に並べられその間を前記貫流ファンによる気流が通過するプレートフィンと、前記プレートフィンを貫通して設けられその内部を冷媒が流れる熱交換パイプとを備えると共に、貫流ファン側に略くの字状に折り曲げられて形成され、前記プレートフィンは、複数段に且つ２列に設けられると共に千鳥状に配列された貫通孔と、折り曲げ部を介して貫流ファン側にそのプレートフィンを折り曲げのための切り抜き部とを有し、前記切り抜き部を形成するフィン部の端面は、前記プレートフィンの貫流ファン側の端面に対して異なる形状に形成され、略くの字状に折り曲げられた状態でその切り抜き部の両側のフィン部が小さな間隙で突き合わされたものであり、前記折り曲げ部は前記プレートフィンの空気上流側の列の貫通孔の間に位置して形成されたものである。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
　本発明によれば、簡単な構造で、プレートフィン形熱交換器の折り曲げ部分を空気が集中的に流れることを緩和することができ、熱交換性能の低下を抑制できる。